(57)【要約】  【課題】  この発明は、車両の後部車体構造において、最後方ピラー内に配置する装備品を最適化することで、空調性能の悪化を防止して、後部座席乗員の安全性を高め、横転対応のカーテンエアバッグ装置の性能を確保しつつも、最後方ピラーの大型化を抑制して、ドライバーの後方視界等を向上することができる車両の後部車体構造を提供することを目的とする。  【解決手段】  Ｄピラー１１に、収納状態のエアバッグ本体３１と、上下空調ダクト１７と、ショルダーアンカー１３とを配置しているだけなので、Ｄピラー１１の大型化が防止され、Ｄピラー１１の後方側の死角となる範囲を少なくでき、ドライバーの後方視界を向上することができる。  特に、大型化するインフレータ３４をＤピラー１１に配置せず、ルーフ２１に配置しているため、Ｄピラー１１の大型化を防止することができる。    【選択図】  図１
2006168671.tif 000002
【特許請求の範囲】
【請求項１】
車両の最後方ピラーに、空調装置からの空調エアをルーフ側に導く上下方向に延びる空調ダクトと、シートベルト装置のショルダーアンカーと、カーテンエアバッグ装置の収納状態のエアバッグ本体と、を配置した車両の後部車体構造であって、
前記カーテンエアバッグ装置は、少なくとも横転時若しくは横転予知時にエアバッグ本体をカーテン状に展開膨張するように設定し、
該カーテンエアバッグ装置のエアバッグ本体は、その後端部を前記最後方ピラーの下部に取付けるともに、
該カーテンエアバッグ装置のインフレータは、該最後方ピラー以外の所定の車両部位に設置した
車両の後部車体構造。
【請求項２】
前記空調ダクトに接続されたルーフ空調ダクトは、ルーフ側部のルーフレールに沿って車両前後方向に延びるように配置し、
前記インフレータは、該ルーフ空調ダクトより車両前方側のルーフ、又は最後方ピラーより前方のピラーに配置した
請求項１記載の車両の後部車体構造。
【請求項３】
前記インフレータは、長手方向が車幅方向に延びるようにルーフに配置した
請求項１又は２記載の車両の後部車体構造。
【請求項４】
前記ルーフの車両前後方向中央には、透光可能な車体ルーフ開口装置を設置して、
前記インフレータは、該車体ルーフ開口装置より車両前方側に設置した
請求項３記載の車両の後部車体構造。
【請求項５】
前記空調ダクトは、最後方ピラーのピラートリムと車体パネルとで包囲される空間内で、前記収納状態のエアバッグ本体の後方に隣接配置し、
前記ショルダーアンカーは該空調ダクトよりも後方に配置した
請求項１〜４記載の車両の後部車体構造。
【請求項６】
前記ショルダーアンカーは、最後方ピラーのピラートリムと車体パネルとで包囲される空間内に配置し、該車体パネルに対して固定した
請求項５記載の車両の後部車体構造。
【請求項７】
前記ショルダーアンカーは、最後方ピラーのピラートリムと車体パネルとで包囲される空間内で、前記収納状態のエアバッグ本体の後方に隣接配置した
請求項１〜４記載の車両の後部車体構造。
【請求項８】
前記ピラートリムの、ショルダーアンカーを設置した部分に衝撃吸収リブを形成し、少なくとも空調ダクトの隣接部分には衝撃吸収リブを形成しない
請求項６又は７記載の車両の後部車体構造。
【発明の詳細な説明】
【技術分野】
【０００１】
この発明は、車両の後部車体構造に関し、特に車両の最後方ピラーに空調ダクトを配置しつつも、車室内の側部でエアバッグ本体をカーテン状に展開膨張させる所謂カーテンエアバッグ装置を装着した車両の後部車体構造に関する。
【背景技術】
【０００２】
従来、車室内の空調性能を高めるために、車両後部に空調装置を配置することが知られている。
【０００３】
例えば、下記特許文献１には、車両後部に空調装置を配置したものが開示されている。この特許文献１では、最後方ピラーに、空調装置の空調エアをルーフ側に導く空調ダクトを配置している。
【０００４】
このように、最後方ピラーに空調ダクトを配置した場合には、比較的大きな最後方ピラーを利用することで空調ダクトの断面積を大きく確保できるため、空調性能を高めることができる。
【０００５】
また、近年、後部座席の乗員の安全性を向上するために、後部座席に三点式シートベルト装置を採用することが多くなっている。この三点式シートベルト装置を採用した場合には、後部座席の側方に位置する最後方ピラーに、ショルダーアンカー（シートベルトの上端支持部）を設置することになる。
【０００６】
さらに、近年、車両の側突時又は横転時等に、車室内の乗員を保護するために、車室内の側部にエアバッグ本体をカーテン状に展開膨張させる所謂カーテンエアバッグ装置も提案されている。
【０００７】
例えば、下記特許文献２には、カーテンエアバッグ装置のエアバッグ本体を、所謂ベルトライン（車両側部のウィンドの開口下縁）近傍まで展開膨張するように設定して、車両側部のウィンドのほぼ全域を、エアバッグ本体で覆うようにしたものが開示されている。
【０００８】
なお、特許文献２にも記載されているように、このカーテンエアバッグ装置では、ベルトライン近傍でエアバッグ本体のテンション（張力）を車両前後方向に確保するため、収納状態のエアバッグ本体を、最前方ピラー下部からルーフサイドレールを経由して最後方ピラー下部まで設置する必要がある。
【０００９】
【特許文献１】特開平１１−２５４９４７号公報
【特許文献２】特開２００１−３２８５０３号公報
【発明の開示】
【発明が解決しようとする課題】
【００１０】
ところで、横転時や横転予知時にエアバッグ本体を作動させる横転対応のカーテンエアバッグ装置においては、長時間に渡ってエアバッグ本体の展開膨張状態を維持して、乗員保護を行う必要がある。このため、エアバッグ本体にガスを供給するインフレータは大型化する必要がある。
【００１１】
前述の特許文献２では、インフレータを最後方ピラーに設置しているが、このようにインフレータが大型化する場合において、インフレータを最後方ピラーに設置すると、最後方ピラーに大きなレイアウトスペースが必要となる。
【００１２】
前述の特許文献１のように空調性能を確保するため最後方ピラーに空調ダクトを配置し、また、後部座席乗員の安全性を向上するため最後方ピラーにショルダーアンカーを配置し、さらに、特許文献２のようにカーテンエアバッグ装置のテンションを確保するため最後方ピラーに収納状態のエアバッグ本体を配置すると、最後方ピラーには、これらの装備品を配置するために、さらに大きなレイアウトスペースが必要になる。
【００１３】
しかしながら、最後方ピラーが、あまりに大きくなりすぎると、車種に応じて、最後方ピラーの後方側が広い範囲で死角となり、ドライバーの後方視界を悪化させるという問題や、あるいは、最後部座席の着座乗員に対する側方視界が遮られ、この乗員への圧迫感が増大するといった問題が生じる。
【００１４】
そこで、この発明は、車両の後部車体構造において、最後方ピラー内に配置する装備品を最適化することで、空調性能の悪化を防止して、後部座席乗員の安全性を高め、横転対応のカーテンエアバッグ装置の性能を確保しつつも、最後方ピラーの大型化を抑制して、ドライバーの後方視界、又は、後席の着座乗員の側方視界を向上することができる車両の後部車体構造を提供することを目的とする。
【課題を解決するための手段】
【００１５】
この発明の車両の後部車体構造は、車両の最後方ピラーに、空調装置からの空調エアをルーフ側に導く上下方向に延びる空調ダクトと、シートベルト装置のショルダーアンカーと、カーテンエアバッグ装置の収納状態のエアバッグ本体と、を配置した車両の後部車体構造であって、前記カーテンエアバッグ装置は、少なくとも横転時若しくは横転予知時にエアバッグ本体をカーテン状に展開膨張するように設定し、該カーテンエアバッグ装置のエアバッグ本体は、その後端部を前記最後方ピラーの下部に取付けるともに、該カーテンエアバッグ装置のインフレータは、該最後方ピラー以外の所定の車両部位に設置したものである。
【００１６】
上記構成によれば、カーテンエアバッグ装置を、少なくとも横転時にエアバッグ本体をカーテン状に展開膨張するように設定することで、横転対応のカーテンエアバッグ装置として構成し、エアバッグ本体の後端部を最後方ピラーの下部に取付けることで、展開膨張時のエアバッグ本体のベルトライン近傍でのテンションを得ることができ、また、インフレータを最後方ピラー以外の所定の車両部位に設置することで、最後方ピラーを大型化することなく、自由にインフレータ容量を設定できる。
【００１７】
このため、最後方ピラーには、空調ダクトとショルダーアンカーと収納状態のエアバッグ本体といった必要な装備品を配置しつつも、横転対応のカーテンエアバッグ装置に求められる、ベルトライン近傍でのテンション確保と、インフレータの大型化を行うことができる。
【００１８】
なお、最後方ピラーとは、車両の後端部に設置したピラーであれば、特に限定されず、三列シートのワゴンタイプの車両であればＤピラーをいい、二列シートのハッチバックタイプの車両であればＣピラーをいう。
【００１９】
また、最後方ピラーに設置されるショルダーアンカーは、ピラーの内部に設置したものに限定されるのではなく、車室側に露出して設置したものであってもよい。
【００２０】
さらに、最後方ピラー以外の所定の車両部位とは、車両のルーフや、最後方ピラー以外の前方ピラー（最後方ピラーがＤピラーの場合にはＡ乃至Ｃピラー、Ｃピラーの場合にはＡ，Ｂピラー）等をいう。
【００２１】
この発明の一実施態様においては、前記空調ダクトに接続されたルーフ空調ダクトは、ルーフ側部のルーフレールに沿って車両前後方向に延びるように配置し、前記インフレータは、該ルーフ空調ダクトより車両前方側のルーフ、又は最後方ピラーより前方のピラーに配置したものである。
【００２２】
上記構成によれば、ルーフ空調ダクトをルーフ側部のルーフレールに沿って車両前後方向に延びるように配置することで、ルーフ側部のルーフレール近傍から車室内に空調エアを吹出すことができる。また、インフレータをルーフ空調ダクトより車両前方側のルーフ、又は最後方ピラーより前方のピラーに配置することで、ルーフ空調ダクトにインフレータの存在が影響を与えることはない。
【００２３】
このため、サイドウィンド等の日差しが差し込む方向とほぼ同じ車両側方側から、車室内に空調エアを吹出させることができ、また、ルーフ空調ダクトの断面積も自由に設定できる。
【００２４】
よって、効率的に空調エアによる効果を得ることができ、また、空調エアの流動も阻害されないため、空調性能を高めることができる。
【００２５】
特に、インフレータを、ルーフ空調ダクトよりも車両前方側のルーフに配置した場合には、インフレータの存在によって、ピラーの上下方向長さが制限されないため、ベルトラインとルーフとの間の間隔を短く設定でき、車両外観のデザインの自由度を向上できる。
【００２６】
この発明の一実施態様においては、前記インフレータは、長手方向が車幅方向に延びるようにルーフに配置したものである。
【００２７】
上記構成によれば、インフレータを、インフレータの長手方向が車幅方向に延びるようにルーフに配置することになる。
【００２８】
このため、一般に、硬質容器で構成されるインフレータを、ルーフの車幅方向の剛性を高める補強部材として利用することができる。また、ルーフの車幅方向に配置することにより、ピラーのように上下方向長さの制限を受けないため、インフレータの長さを比較的自由に設定でき、インフレータ容量を増加させることもできる。
【００２９】
よって、インフレータを車体剛性向上に寄与させることができ、またインフレータを大型化することも容易になる。
【００３０】
この発明の一実施態様においては、前記ルーフの車両前後方向中央には、透光可能な車体ルーフ開口装置を設置して、前記インフレータは、該車体ルーフ開口装置より車両前方側に設置したものである。
【００３１】
上記構成によれば、ルーフの車両前後方向中央に透光可能な車体ルーフ開口装置を設置して、車幅方向に延びるインフレータを車体ルーフ開口装置より車両前方側に設置することになる。
【００３２】
このため、車体ルーフ開口装置は、インフレータによって車両後方側への配置位置が阻害されることがない。
【００３３】
よって、透光可能な車体ルーフ開口装置を最大限に車両後方側まで設置することが可能となり、車室の車両後方側まで解放感を得ることができる。
【００３４】
なお、車体ルーフ開口装置には、サンルーフ装置やガラスルーフ等の車体ルーフに開口を設けてガラス等の透明部材を開閉可能に装着したり、ガラス等を固定するものや、キャンバストップ装置等の車体ルーフに開口を設けてその開口を透光可能な布等で覆うもの等が含まれる。
【００３５】
この発明の一実施態様においては、前記空調ダクトは、最後方ピラーのピラートリムと車体パネルとで包囲される空間内で、前記収納状態のエアバッグ本体の後方に隣接配置し、前記ショルダーアンカーは該空調ダクトよりも後方に配置したものである。
【００３６】
上記構成によれば、最後方ピラーのピラートリムと車体パネルとで包囲される空間内に、空調ダクトを収納状態のエアバッグ本体の後方に隣接配置して、ショルダーアンカーを空調ダクトよりも後方に配置することになる。
【００３７】
このため、最後方ピラーの前方側には、内部が空洞となった空調ダクトを配置して、後方側にはシートベルト装置のベルト引き出し方向を変更するため高剛性で硬いショルダーアンカーを設置することになり、これにより、最後方ピラーの近傍の後部座席の乗員の頭部が、横転時等に最後方ピラーに干渉しても、中空の空調ダクトに干渉して、この空調ダクトが潰れることにより衝撃が吸収されることになる。
【００３８】
よって、空調ダクトを衝撃吸収部材として有効に利用することができ、後部座席の乗員の安全性を高めることができる。
【００３９】
なお、ショルダーアンカーは、最後方ピラーのピラートリムと車体パネルで包囲される空間内に設置せずに外部（車室内）に露出して設置してもよい。この場合には、ショルダーアンカーやシートベルトをピラートリムによって覆わないため、最後方ピラーを、見かけ上細くすることができる。
【００４０】
この発明の一実施態様においては、前記ショルダーアンカーは、最後方ピラーのピラートリムと車体パネルとで包囲される空間内に配置し、該車体パネルに対して固定したものである。
【００４１】
上記構成によれば、ショルダーアンカーを最後方ピラーのピラートリムと車体パネルとで包囲される空間内に配置して、車体パネルに固定することになる。
【００４２】
このため、ショルダーアンカーは、最後方ピラーの外部（車室内）に露出しないため、横転時等に後部座席の乗員の頭部がショルダーアンカーに直接干渉するのを防止できる。
【００４３】
よって、後部座席の乗員の頭部が、横転時等に最後方ピラーに干渉したとしても、硬いショルダーアンカーと直接干渉しないため、さらに横転時等の安全性を高めることができる。また、ショルダーアンカーを車室内に設けた場合には、ショルダーアンカーへの頭部接触時の衝撃を下げるため、ショルダーアンカーの金属等の高剛性部分の周辺を低剛性部材で覆う必要があり、車室内側へのショルダーアンカーの突出が大きくなり、デザイン性等も悪化するが、これを防止できる。
【００４４】
この発明の一実施態様においては、前記ショルダーアンカーは、最後方ピラーのピラートリムと車体パネルとで包囲される空間内で、前記収納状態のエアバッグ本体の後方に隣接配置したものである。
【００４５】
上記構成によれば、最後方ピラーのピラートリムと車体パネルとで包囲される空間内で、ショルダーアンカーを収納状態のエアバッグ本体の後方に隣接配置することになる。
【００４６】
このため、ショルダーアンカーは、最後方ピラーの車両前方側に配置されるため、車両の後面衝突時等に、変形する最後方ピラーの影響を受けにくく、破損のおそれが少なくなる。
【００４７】
よって、車両後突時における、後部座席のシートベルト装置の破損を防止することができ、後部座席乗員の安全性を高めることができる。
【００４８】
この発明の一実施態様においては、前記ピラートリムの、ショルダーアンカーを設置した部分に衝撃吸収リブを形成し、少なくとも空調ダクトの隣接部分には衝撃吸収リブを形成しないものである。
【００４９】
上記構成によれば、ショルダーアンカーを設置した部分に、ピラートリムに衝撃吸収リブを形成し、空調ダクトの隣接部分には衝撃吸収リブを形成しないことになる。
【００５０】
このため、空調ダクトと接することで衝撃吸収性能が高められた部分では、衝撃吸収リブを形成せず、必要な部分でしか衝撃吸収リブを形成しないため、ピラートリムを必要以上に大きくすることなく、できるだけ細く形成することができる。
【００５１】
よって、後部座席の乗員頭部の干渉時の衝撃吸収を図りつつも、ピラートリムを細くして、最後部ピラーをできるだけ細くすることができる。
【発明の効果】
【００５２】
この発明によれば、最後方ピラーには、空調ダクトとショルダーアンカーと収納状態のエアバッグ本体といった必要な装備品を配置しつつも、横転対応のカーテンエアバッグ装置に求められる、ベルトライン近傍でのテンション確保と、長期間のガス供給を行うためのインフレータの大型化を行うことができる。
【００５３】
したがって、この発明は、車両の後部車体構造において、最後方ピラー内に配置する装備品を最適化することで、空調性能の悪化を防止して、後部座席乗員の安全性を高め、横転対応のカーテンエアバッグ装置の性能を確保しつつも、最後方ピラーの大型化を抑制して、ドライバーの後方視界又は、後席の着座員の側方視界を向上することができる。
【発明を実施するための最良の形態】
【００５４】
以下、図面に基づいて本発明の実施形態を詳述する。  
図１は、実施形態の車両の後部車体構造を採用した車両の全体側面図、図２はカーテンエアバッグ装置を作動させた場合の全体側面図、図３は車両の全体平面図である。
【００５５】
本実施形態の車両Ｖは、車室内に車両前方側から前席１と第一後席２と第二後席３を設けた三列シートのワゴンタイプの車両である。車室内のフロア面４は車両前後方向に略水平に延びるフラット面で構成している。
【００５６】
また、この車両Ｖには、前席１と第一後席２に対応した車両側部にフロントドア５とリアドア６を設けており、フロントドア５の上部にはフロントドアウィンド５ａ、リアドア６の上部にはリアドアウィンド６ａ、第二後席３の側部上部にはクォータウィンド７をそれぞれ形成している。
【００５７】
これら側部のウィンド５ａ，６ａ，７の開口下縁を車両前後方向に結んだ線を所謂ベルトラインＬという。本実施形態の車両Ｖにおいては、このベルトラインＬを車両後方側に向かうに従い上方側に移行するように後上がりに傾斜して設定してデザイン面における商品性を高めている。
【００５８】
また、これら各側部のウィンド５ａ，６ａ，７の前方、後方及び間には、車両上下方向に延びるピラーを配置している。具体的には、フロントドア５の前方にＡピラー８、フロントドア５とリアドア６の間にＢピラー９、リアドア６とクォータウィンド７の間にＣピラー１０、クォータウィンド７の後方にＤピラー１１を配置している。
【００５９】
そして、このピラーのうち、Ｂピラー９、Ｃピラー１０、Ｄピラー１１には、各座席の乗員を保護するためにシートベルト装置１２…を設置している。このシートベルト装置１２…は全て三点式シートベルト装置であり、各ピラーの上部にショルダーアンカー１３…を設け、ピラーの下部にリトラクター機構１４…を設けている。
【００６０】
また、第二後席３の後部側方の車体サイドパネル１５には、冷房用エア等の空調エアを発生する空調装置１６を設置している。この空調装置１６は、車両前方側にブロアモータ１６ａを設置し、車両後方側にエバポレータを備えたクーラーユニット１６ｂを設置している。
【００６１】
この空調装置１６では、車室内の空気（内気）をブロアモータ１６ａにより装置１６内部に取り込み、エバポレータでその内気を冷却することで冷房用エアを作り出している。
【００６２】
この冷房用エアは、クーラーユニット１６ｂの上部に接続された上下空調ダクト１７により、車両上部のルーフ２１側に導かれる。
【００６３】
この上下空調ダクト１７は、Ｄピラー１１内でこのＤピラー１１に沿って上下方向に延びるように設置している。この上下空調ダクト１７は、内部を中空とした樹脂部材で構成しており、充分な空調エアを流動させるために所定の断面積を有するように形成している。
【００６４】
また、この上下空調ダクト１７に連続して車両のルーフ２１には、ルーフ空調ダクト１８を配置している。このルーフ空調ダクト１８は、車両両側部で車両前後方向に延びるルーフサイドダクト部１８ａ，１８ａと、車両後端部で車幅方向に延びて左右のルーフサイドダクト部１８ａ，１８ａを連結するエンドルーフダクト部１８ｂと、ルーフサイドダクト部１８ａ，１８ａとエンドルーフダクト部１８ｂとの連結部で車両中央側に膨出する膨出ルーフダクト部１８ｃ，１８ｃとを備える。
【００６５】
このうち、ルーフサイドダクト部１８ａ，１８ａは、車両側部上端で車両前後方向に延びるサイドレール１９，１９に沿って配置され、Ｃピラー１０の上方位置とリアドアウィンド６ａの上方位置とに、それぞれ空調エアを吹出す吹出し口２０…を設けている。
【００６６】
このため、第一後席２と第二後席３の乗員に対して、空調エアを車室内の側方上部から吹出すことが可能となり、日が差し込むクォータウィンド７やリアドアウィンド６ａと同じ方向から冷房用エアを吹出すことが可能となる。このため、日差しによって熱せられる部分を即座に冷却することができ、効果的に、空調性能を高めることができる。
【００６７】
車室内の側方上部には、フロントドアウィンド５ａ、リアドアウィンド６ａ、及びクォータウィンド７を取り囲むように、カーテンエアバッグ装置の布製のエアバッグ本体３１を折り畳んだ収納状態で配置している。具体的には、Ａピラー８の前端下部８ａから上方に延び、サイドレール１９に沿って車両前後方向に延び、さらにＤピラー１１の上端から後端下部１１ａまで延びるように配置している。
【００６８】
このようにエアバッグ本体３１を配置することで、図２に示すように、車両横転時等に車室内の側方で、エアバッグ本体３１がカーテン状に展開膨張した際に、ベルトラインＬ近傍で、エアバッグ本体３１に車両前後方向のテンションを生じさせることができる。すなわち、Ａピラー８の前端下部８ａとＤピラー１１の後端下部１１ａにエアバッグ本体３１の取付け点を設定することで、展開膨張時に、エアバッグ本体３１の下端３１ａに、ベルトラインＬとほぼ一致した位置でテンションを持たせることが可能となるのである。
【００６９】
これは、エアバッグ本体３１を、布状の非膨張部３２…と、袋状の膨張部３３…とで構成し、作動時には、この膨張部３３…にガスを供給することで、エアバッグ本体３１を車幅方向に膨らませ、エアバッグ本体３１の車両前後方向長さを短くすることにより、エアバッグ本体３１の下端に車両前後方向の張力を生じさせるのである。
【００７０】
なお、この膨張部３３…は、ほぼ乗員の頭部Ｈの位置に設定されており、横転及び側突時に乗員の頭部の衝撃を緩和するように構成している。
【００７１】
このため、エアバッグ本体３１の展開膨張時には、各ウィンド５ａ，６ａ，７からの車外への露出を抑制することができ、横転時等の乗員保護を確実に行うことができる。
【００７２】
また、Ｂピラー９上方のルーフ２１には、このエアバッグ本体３１に対して、ガスを供給する円筒形状のインフレータ３４を設置している。
【００７３】
このインフレータ３４は、アジ化ナトリウム等のガス発生剤を点火装置で発火して高温ガスを発生する一般的なインフレータではなく、所定の圧縮ガスを封入して閉鎖弁を作動時に解放することで低温ガス（大気温よりもやや高い温度のガス）をエアバッグ本体３１に供給する低温ガスタイプのインフレータ３４である。
【００７４】
低温ガスタイプのインフレータ３４は、エアバッグ本体３１の展開膨張時に、車室内の定温の空気によって急速に冷却されてガス容積が瞬時に収縮するといった現象が生じないため、一般に、エアバッグ本体３１を長時間に亘って展開膨張させておきたい場合に使用する。
【００７５】
このインフレータ３４は、横転対応のカーテンエアバッグ装置のインフレータ３４であるため、長期間及び大量のガスの噴出が必要であり、通常のエアバッグ装置のインフレータよりも大型のインフレータ３４で構成している。
【００７６】
特に、本実施形態のインフレータ３４では、圧縮ガスを封入している関係上、どうしても大きくならざるを得ない。そこで、本実施形態では、このインフレータ３４を、長手方向が車幅方向に延びるように配置している。このため、ピラーなどに設置する場合よりも長いスペースで配置することができ、大型のインフレータ３４を容易に配置することができる。
【００７７】
また、このインフレータ３４は、車幅方向に延びるルーフクロスメンバー２２の後方側の隣接位置に配置して、このルーフクロスメンバー２２に対して取付けている。一般に、インフレータ３４は硬質の容器で構成されるため、このように、ルーフクロスメンバー２２に取付けた場合には、インフレータ３４がルーフクロスメンバー２２の補強部材としての働き、車幅方向の車体剛性を高めることになる。
【００７８】
さらに、このインフレータ３４の配置位置は、車両前後方向の略中央位置であり、前述のエアバッグ本体３１へのガス供給口３１ｂと略一致する位置である。このため、カーテンエアバッグ装置の作動時には、インフレータ３４のガスの噴出方向と、エアバッグ本体３１への供給方向がほぼ同じになり、ガスの供給性能が向上することになる。  
なお、３５は、インフレータ３４とエアバッグ本体３１を連結する連通管である。
【００７９】
このインフレータ３４は、車両中央に設けた横転検出センサＳによって車両Ｖの横転が検出又は横転が予知された場合に作動するように構成している。詳細には説明しないが、図示しない中央処理装置で、横転検出センサＳから所定角以上（例えば５〜３０°）の車体ロール角を検出した場合には、横転又は横転予知と判断して、インフレータに作動信号を出力するように構成している。
【００８０】
インフレータ３４の車両前方側には、前席１上方のルーフ２１をガラス等により開閉可能なサンルーフ装置４１を配置し、インフレータ３４の車両後方側には、第一後席２に対して上方から日差しを取り込むルーフに固定されたガラスルーフ４２を配置している。
【００８１】
このように、インフレータ３４を、サンルーフ装置４１とガラスルーフ４２との間、特にガラスルーフ４２の車両前方側に配置したことにより、ガラスルーフ４２の車両後端位置に対してインフレータ３４が邪魔になることがない。
【００８２】
このため、車両後方側までルーフ２１をガラスルーフ４２とすることができ、車室内の後方まで日差しを取り入れることができる。もっとも、ガラスルーフ４２の車両前方側はインフレータ３４で制限されるが、サンルーフ装置４１を設けているため、車室内の前方で日差しがなくなるわけではない。
【００８３】
また、このようにルーフの中央にガラスルーフ４２とサンルーフ装置４１を配置しているため、ルーフレール１９に沿って延びるルーフ空調ダクト１８と干渉することもない。
【００８４】
さらに、このようにガラスルーフ４２とサンルーフ装置４１を装着した車両Ｖの高温化しやすい車室内の空調性能も、ルーフ空調ダクト１８をルーフレール１９に沿って配置することで、空調エアを車両側部上方から吹出すことができるため、向上することができる。
【００８５】
また、左右のインフレータ３４，３４の間には、各種操作スイッチ（例えばサンルーフ装置４１の操作スイッチ）を設けたオーバーヘッドコンソール４３を配置している。
【００８６】
そして、上下空調ダクト１７を配置した反対側のＤピラー１１には、パワーリフトゲート装置のパワーシリンダー４４を配置している。このように、反対側のＤピラー１１にパワーシリンダー４４を配置することにより、パワーリフトゲート装置を設けた車両であっても、Ｄピラー１１の大型化を防止することができる。
【００８７】
なお、この実施形態では、インフレータ３４を車幅方向に延びるように配置しているが、図１〜図３で一点鎖線で示すように、長手方向を車両前後方向に向けて、サイドレール１９に沿うような位置にインフレータ１３４を配置してもよい。
【００８８】
この場合には、ルーフ２１の中央部をより有効に利用することができ、例えば、ガラスルーフ４２をルーフ全面に設定するなど、レイアウト自由度を高めることができるという効果が得られる。
【００８９】
また、インフレータ１３４を、比較的強固なサイドレール１９に沿うように配置したため、横転時等に、インフレータ１３４が破損するおそれも少なく、インフレータ１３４の作動の信頼性も向上することができる。  
なお、図３の２３はフロントウィンドで、２４はバックウインドである。
【００９０】
次に、Ｄピラー１１近傍の具体構造について、図４、図５で説明する。図４はＤピラー１１近傍の詳細側面図、図５は、図４のＡ−Ａ線矢視断面図である。なお、前述した構成要素については、同じ符号を付して説明を省略する。
【００９１】
Ｄピラー１１内部は、図５に示すように車体外板を構成するピラーアウタパネル５１と車体内板を構成するピラーインナパネル５２を接合することでピラー車体閉断面５３を構成し、ピラーインナパネル５２のさらに車体内方側に車室内壁を構成するピラートリム５４を配置することで、ピラーインナパネル５２とピラートリム５４との間で装備品収納空間５５を構成している。
【００９２】
この場合、ピラー車体閉断面５３の形状は、車幅方向の幅が車両後方側程長く、車両前後方向の幅が車両外方側程長く形成されており、これにより、車両後方からの衝撃と、車両側方からの衝撃との双方に対する剛性を高めている。
【００９３】
この装備品収納空間５５には、車両前後方向で、車両前方側から収納状態のエアバッグ本体３１を配置し、その後方に上下空調ダクト１７を配置し、さらにその後方にショルダーアンカー１３を配置している。また、車幅方向では、エアバッグ本体３１を最も車両外方側に配置し、その内方に上下空調ダクト１７を配置し、さらにその内方にショルダーアンカー１３を配置している。
【００９４】
なお、これらエアバッグ本体３１、上下空調ダクト１７及びショルダーアンカー１３は、それぞれ、取付けボルト５６，５７等によって、ピラーインナパネル５２に固定している。
【００９５】
また、ピラーインナパネル５２には、複数の屈曲部５２ａ，５２ｂ，５２ｃを形成して、車体剛性を高めている。
【００９６】
前述のように、エアバッグ本体３１等の装備品を配置することにより、まず、収納状態のエアバッグ本体３１では、横転時等の作動時に、クォータウィンド７の後端部に最も近い位置から、ピラートリム５４の前端部を拡開して車両前方側に展開膨張することになる。
【００９７】
よって、前述のように、エアバッグ本体３１は、ベルトラインＬ近傍で車両前後方向にテンションを確保することが可能となる。
【００９８】
また、上下空調ダクト１７では、車両前後方向に長い大きな断面積を確保することができ、また、図５に示すように、第二後席３の乗員の頭部Ｈが、斜め前方位置にあるため、横転時又は側突時等にＤピラー１１に干渉した場合には、この上下空調ダクト１７が潰れることで衝撃を吸収することができる。
【００９９】
よって、上下空調ダクト１７では、空調性能を確保しつつも、上下空調ダクト１７を乗員を保護する衝撃吸収材として利用することができる。
【０１００】
さらに、ショルダーアンカー１３では、Ｄピラー１１の車両後方側に配置することになるため、硬いショルダーアンカー１３に乗員の頭部Ｈが干渉するおそれが少なくなり、第二後席３の乗員保護を図ることができる。また、この配置位置が車両内方側に位置しているため、第二後席３の乗員の肩に対して、シートベルトを案内するポイントを、より乗員の肩の後方側に位置させることができるため、乗員の肩の拘束をより確実に行うことができ、三点式シートベルト装置１２の効果をより確実に得ることができる。
【０１０１】
また、ショルダーアンカー１３を設けた位置に対応するピラートリム５４の内側面（装備品収納空間５５側面）には、衝撃吸収リブ５８を形成して、仮に、乗員の頭部Ｈが車両後方側に移行して、ショルダーアンカー１３に干渉したとしても、衝撃を緩和するように構成している。
【０１０２】
この部分にのみに衝撃吸収リブ５８を設け、その他の部分では衝撃吸収リブ５８を設けていないため、ピラートリム５４自体もさほど大きくすることなくコンパクトに構成することができる。
【０１０３】
このように本実施形態では、Ｄピラー１１の装備品収納空間５５内に、収納状態のエアバッグ本体３１と、上下空調ダクト１７と、ショルダーアンカー１３といった装備品を適切に配置しているだけなので、Ｄピラー１１の大型化が防止され、Ｄピラー１１の後方側の死角となる範囲を少なくでき、ドライバーの後方視界を向上することができたり、あるいは、後方座席の着座乗員の側方視界を十分に確保できる。
【０１０４】
特に、大型化するインフレータ３４をＤピラー１１に配置せず、ルーフ２１に配置しているため、Ｄピラー１１の大型化を確実に防止することができる。
【０１０５】
また、このＤピラー１１に配置するエアバッグ本体３１は、後方座席の着座乗員の頭部を保護するため、非膨張部３２ではなく膨張部３３を折畳んだ状態で収納しているため、比較的大きなものとなるが、このようにインフレータ３４をＤピラーに配置していないため、確実にＤピラー１１に配置することができる。
【０１０６】
なお、本実施形態では、第二後席３の乗員の頭部Ｈの保護等を考慮して、ショルダーアンカー１３を装備品収納空間５５内に配置しているが、ショルダーアンカー１３を装備品収納空間５５から外部（車室側）に出して、配置してもよい。この場合には、装備品収納空間５５内にショルダーアンカー１３やシートベルトＳが存在しないため、ピラートリム５４をよりコンパクトに構成することができる。
【０１０７】
次に、図６〜図８に示す他の実施形態について説明する。図６は前述の図１に対応する車両の全体側面図、図７は図３に対応する車両の全体平面図、図８は図５に対応する断面図である。
【０１０８】
この実施形態は、ルーフ２１のレイアウト自由度を高めるため、インフレータ２３４の配置位置をＢピラー９に設定し、また、Ｄピラー１１の装備品収納空間５５内におけるショルダーアンカー１３の配置位置をＤピラー１１の車両前方側に設定しているものである。なお、前述の実施形態と同様の構成要素については、同一の符号を付して説明を省略する。
【０１０９】
この実施形態では、インフレータ２３４を、ベルトラインＬよりも上部のＢピラー９内に長手方向を上下方向を向けて配置している。具体的には噴出方向を上方に向けて配置している。
【０１１０】
このように、Ｂピラー９内に配置することにより、ルーフ２１には、インフレータを配置しなくてもよいため、ルーフ２１のレイアウト自由度を高めることができ、空調装置１６のルーフ空調ダクト１８やサンルーフ装置４１等を自由にレイアウトすることができる。
【０１１１】
また、Ｂピラー９内にインフレータ２３４を配置することで、Ｄピラー１１にはインフレータを配置しないため、ドライバーの後方視界も悪化させることはない。
【０１１２】
また、本実施形態では、Ｄピラー１１の装備品収納空間５５内のレイアウトを、ショルダーアンカー１１３を車両前方側に配置し、上下空調ダクト１１７を車両後方側に配置している。
【０１１３】
このように、ショルダーアンカー１１３を車両前方側に配置した場合には、車両の後面衝突で、Ｄピラー１１の変形の影響を受けにくい位置に、ショルダーアンカー１３を配置することになるため、後面衝突時にショルダーアンカー１３が破損するのを抑止でき、後面衝突時の第二後席３の乗員の安全性を向上することができる。
【０１１４】
一方、上下空調ダクト１１７は、中央に屈曲部１１７ａを設けて閉断面を構成している。このように屈曲部１１７ａを設けたことにより、上下空調ダクト１１７の断面剛性が高まり、また、Ｄピラー１１に組付ける際にも、ピラーインナパネル５２との位置合わせを容易に行うことができる。
【０１１５】
また、ピラートリム１５４には、ショルダーアンカー１３に対応する車両前方側のみに衝撃吸収リブ１５８を設けている。この場合も、衝撃吸収リブ１５８を一部にのみ設けているため、ピラートリム５４自体をさほど大きくすることなく、コンパクトに構成することができる。
【０１１６】
よって、本実施形態でも、Ｄピラー１１の装備品収納空間５５内に、収納状態のエアバッグ本体３１と、上下空調ダクト１１７と、ショルダーアンカー１１３といった装備品を適切に配置しているため、Ｄピラー１１の大型化が防止され、Ｄピラー１１の後方側の死角となる範囲を少なくでき、ドライバーの後方視界や後席乗員の側方視界を向上することができる。
【０１１７】
特にインフレータ２３４をＢピラー９に配置しているため、Ｄピラー１１の大型化を防止すると共に、ルーフ２１のレイアウト自由度を高めることができる。  
また、その他の作用効果については、前述の実施形態と同様である。
【０１１８】
以上、この発明の構成と、前述の実施形態との対応において、
この発明の最後方ピラーは、実施形態のＤピラーに対応し、
以下同様に、
空調ダクトは、上下空調ダクト１７，１１７に対応し、
車体ルーフ開口装置は、ガラスルーフ４２に対応し、
空間は、装備品収納空間５５に対応するも、
この発明は、前述の実施形態に限定されるものではなく、あらゆる車両の後部車体構造に適用する実施形態を含むものである。前述の実施形態では、三列シートのワゴンタイプの車両で説明したが、二列シートのハッチバックタイプの車両で実施してもよい。
【０１１９】
また、インフレータについても一般的な高温タイプのインフレータで実施してもよい。さらに、インフレータの設置位置も、ＡピラーやＣピラーであってもよい。
【０１２０】
また、ガラスルーフの代わりに、サンルーフ装置を配置してもよいし、キャンバストップ装置などを配置してもよい。
【図面の簡単な説明】
【０１２１】
【図１】実施形態の車両の全体側面図。
【図２】カーテンエアバッグ装置を作動させた場合の車両の全体側面図。
【図３】車両の全体平面図。
【図４】Ｄピラー近傍の詳細側面図。
【図５】図４のＡ−Ａ線矢視断面図。
【図６】他の実施形態の車両の全体側面図。
【図７】他の実施形態の車両の全体平面図。
【図８】他の実施形態の図５に対応する断面図。
【符号の説明】
【０１２２】
１１…Ｄピラー（最後方ピラー）
１３，１１３…ショルダーアンカー
１７，１１７…上下空調ダクト（空調ダクト）
１８…ルーフ空調ダクト
１９…ルーフレール
３１…エアバッグ本体
３４，１３４，２３４…インフレータ
４２…ガラスルーフ（車体ルーフ開口装置）
５５…装備品収納空間（空間）
５８，１５８…衝撃吸収リブ
【図１】
2006168671.tif 000003
【図２】
2006168671.tif 000004
【図３】
2006168671.tif 000005
【図４】
2006168671.tif 000006
【図５】
2006168671.tif 000007
【図６】
2006168671.tif 000008
【図７】
2006168671.tif 000009
【図８】
2006168671.tif 000010